(57)【要約】【課題】プラテンの変形等によって、断熱部材が変形したり破損したりすることを防ぐ。【解決手段】成形型２、３と、成形型２、３が取り付けられるプラテン４１、４２と、成形型２、３及びプラテン４１、４２の間に設けられ、成形型２、３及びプラテン４１の間に空間を形成するとともに、プラテン４１、４２からの型締め力を成形型２、３に伝達する複数の断熱部材１０と、プラテン４１、４２に対して成形型２、３を固定する固定部１１とを備え、複数の断熱部材１０は、成形型２、３に設けられた第１分割要素５とプラテン４１、４２に設けられた第２分割要素６に分割されている。【選択図】図１
2020116917.tif 000002
【特許請求の範囲】
【請求項１】
成形型と、
前記成形型が取り付けられるプラテンと、
前記成形型及び前記プラテンの間に設けられ、前記成形型及び前記プラテンの間に空間を形成するとともに、前記プラテンからの型締め力を前記成形型に伝達する複数の断熱部材と、
前記プラテンに対して前記成形型を固定する固定部とを備え、
前記複数の断熱部材は、前記成形型に設けられた第１分割要素と前記プラテンに設けられた第２分割要素に分割されている、樹脂成形装置。
【請求項２】
前記成形型として、下型と、上型とを有し、
前記プラテンとして、前記下型が取り付けられる第１プラテンと、上型が取り付けられる第２プラテンとを有し、
前記複数の断熱部材は、前記上型と前記第２プラテンとの間、及び、前記下型と前記第１プラテンとの間にそれぞれ設けられている、請求項１記載の樹脂成形装置。
【請求項３】
前記成形型と前記プラテンとの間に設けられ、前記複数の第１分割要素又は前記複数の第２分割要素が設けられた中間ブロックを備えている、請求項１又は２記載の樹脂成形装置。
【請求項４】
前記固定部は、前記プラテンに対して前記成形型を弾性保持する、請求項１乃至３の何れか一項に記載の樹脂成形装置。
【請求項５】
前記複数の断熱部材よりも内側に設けられ、前記プラテンと前記成形型とを位置決めする位置決め部を備えている、請求項１乃至４の何れか一項に記載の樹脂成形装置。
【請求項６】
請求項１乃至５の何れか一項に記載の樹脂成形装置を用いた樹脂成形品の製造方法。
【発明の詳細な説明】
【技術分野】
【０００１】
本発明は、樹脂成形装置、及び樹脂成形品の製造方法に関するものである。
【背景技術】
【０００２】
圧縮成形による樹脂成形装置では、成形型とプラテンとの間に断熱スペーサを介在させて、成形型を加熱するヒータとプラテンとの間に断熱を行う技術として特許文献１に示すものが考えられている。
【先行技術文献】
【特許文献】
【０００３】
【特許文献１】特開平１−２９７２２１号公報
【発明の概要】
【発明が解決しようとする課題】
【０００４】
上記の樹脂成形装置は、セラミック製の断熱スペーサを用いているが、型締め時のプラテンの変形等により断熱スペーサに横方向の負荷が掛かったり、引張方向又は圧縮方向の力が働くと、断熱スペーサが変形したり破損したりする恐れがある。
【０００５】
そこで本発明は、成形型が取り付けられるプラテンの変形等によって、断熱部材が変形したり破損したりすることをその主たる課題とするものである。
【課題を解決するための手段】
【０００６】
すなわち本発明に係る樹脂成形装置は、成形型と、前記成形型が取り付けられるプラテンと、前記成形型及び前記プラテンの間に設けられ、前記成形型及び前記プラテンの間に空間を形成するとともに、前記プラテンからの型締め力を前記成形型に伝達する複数の断熱部材と、前記プラテンに対して前記成形型を固定する固定部とを備え、前記複数の断熱部材は、前記成形型に設けられた第１分割要素と前記プラテンに設けられた第２分割要素に分割されていることを特徴とする。
【発明の効果】
【０００７】
このように構成した本発明によれば、成形型が取り付けられるプラテンの変形等によって、断熱部材が変形したり破損したりすることを防ぐことができる。
【図面の簡単な説明】
【０００８】
【図１】本実施形態の樹脂成形装置の構成を模式的に示す正面図である。
【図２】同実施形態の第１分割要素及び第２分割要素の拡大断面図である。
【図３】同実施形態の第２プラテン及び固定側ブロックを主として示す断面図である。
【図４】同実施形態の固定側ブロックの固定部の拡大断面図である。
【図５】同実施形態の固定側ブロックの位置決め部の拡大断面図である。
【図６】同実施形態の第１プラテン及び可動側ブロックを主として示す断面図である。
【図７】同実施形態の構成によるシミュレーション結果を示す図である。
【図８】変形実施形態の第１分割要素及び第２分割要素の拡大断面図である。
【図９】変形実施形態の第１分割要素及び第２分割要素の拡大断面図である。
【図１０】変形実施形態の第１分割要素及び第２分割要素の拡大断面図である。
【図１１】変形実施形態の固定部の拡大断面図である。
【発明を実施するための形態】
【０００９】
次に、本発明について、例を挙げてさらに詳細に説明する。ただし、本発明は、以下の説明により限定されない。
【００１０】
本発明の樹脂成形装置は、前述のとおり、成形型と、前記成形型が取り付けられるプラテンと、前記成形型及び前記プラテンの間に設けられ、前記成形型及び前記プラテンの間に空間を形成するとともに、前記プラテンからの型締め力を前記成形型に伝達する複数の断熱部材と、前記プラテンに対して前記成形型を固定する固定部とを備え、前記複数の断熱部材は、前記成形型に設けられた第１分割要素と前記プラテンに設けられた第２分割要素に分割されていることを特徴とする。
この樹脂成形装置であれば、複数の断熱部材により成形型及びプラテンの間に空間が形成されることになる。この空間が断熱層として機能することで、成形型からプラテンに伝わる熱を低減して、外部への放熱を抑えることができる。特に本発明では、複数の断熱部材が成形型に設けられた第１分割要素とプラテンに設けられた第２分割要素に分割されているので、プラテンが変形した場合であっても、第１分割要素及び第２分割要素の間でプラテンの変形が吸収されることになる。その結果、成形型が取り付けられるプラテンの変形等によって、断熱部材が変形したり破損したりすることを防ぐことができる。また、前記複数の断熱部材が分割されていることにより、前記プラテンの前記成形型に対する相対的な変形を可能として、前記成形型の変形量を前記プラテンの変形量よりも小さくすることができ、好ましくは、前記プラテンの変形量を前記成形型に伝えないようにできる。その結果、型締め時における成形型の平坦度を維持することができる。その他、第１分割要素又は第２分割要素の摩耗、破損等により部品交換が必要となった場合には、第１分割要素及び第２分割要素の少なくとも一方を交換すればよいので、メンテナンスを容易とすることができる。
【００１１】
具体的な実施の態様としては、前記第１分割要素の前記第２分割要素に対する接触面が、凸曲面状又は平面状をなすものである。また、前記第２分割要素の前記第１分割要素に対する接触面が、凸曲面状又は平面状をなすものである。
【００１２】
樹脂成形装置は、前記成形型として、下型と、上型とを有し、前記プラテンとして、前記下型が取り付けられる第１プラテンと、上型が取り付けられる第２プラテンとを有することが考えられる。
この構成において、前記複数の断熱部材は、前記上型と前記第２プラテンとの間、及び、前記下型と前記第１プラテンとの間にそれぞれ設けられていることが望ましい。これにより、第２プラテン及び第１プラテンに伝わる熱を低減して、外部への放熱を抑えることができる。
【００１３】
樹脂成形装置は、前記成形型と前記プラテンとの間に設けられ、前記複数の第１分割要素又は前記複数の第２分割要素が設けられた中間ブロックを備えていることが望ましい。
この構成であれば、中間ブロックを成形型又はプラテンに取り付けることにより、一挙に複数の分割要素を成形型又はプラテンに設けることができ、交換作業を簡単にすることができる。
【００１４】
プラテンに成形型又は中間ブロックをボルトで固定する際に、その締め付け力を強くすると、分割要素の接触面を起点にして成形型又は中間ブロックが変形してしまう。そうすると、型締めする前から成形型の平坦度が損なわれてしまう恐れがある。
この問題を解決するためには、前記固定部は、前記プラテンに対して前記成形型を弾性保持することが望ましい。
【００１５】
断熱部材を分割することにより成形型に対するプラテンの相対的な変形を可能としていることから、プラテンに対する成形型の位置がずれる恐れがある。
このため、樹脂成形装置は、前記複数の断熱部材よりも内側に設けられ、前記プラテンと前記成形型とを位置決めする位置決め部を備えていることが望ましい。なお、成形型に対してプラテンの相対的な変化を可能にするとは、成形型と独立してプラテンの変化を可能にすると表現することもできる。
【００１６】
また、上述した樹脂成形装置を用いた樹脂成形品の製造方法も本発明の一態様である。
【００１７】
＜本発明の一実施形態＞
以下に、本発明に係る樹脂成形装置の一実施形態について、図面を参照して説明する。なお、以下に示すいずれの図についても、わかりやすくするために、適宜省略し又は誇張して模式的に描かれている。同一の構成要素については、同一の符号を付して説明を適宜省略する。
【００１８】
本実施形態の樹脂成形装置１００は、電子部品が搭載された基板に対して電子部品が搭載された部品搭載面を樹脂で封止して樹脂成形品を製造するものである。なお、基板は、例えば金属製基板、樹脂製基板、ガラス製基板、セラミックス製基板、回路基板、半導体基板、リードフレーム等を挙げることができる。樹脂材料は、顆粒状や粉末状の樹脂材料の他、液状、シート状、タブレット状等のものを用いることができる。
【００１９】
この樹脂成形装置１００は、図１に示すように、キャビティが形成された第１の成形型である下型２と、基板を保持する第２の成形型である上型３と、下型２及び上型３が取り付けられるとともに下型２及び上型３を型締めする型締め機構４とを有する。
【００２０】
型締め機構４は、下型２が取り付けられる可動盤４１（以下、第１プラテン４１ともいう。）と、上型３が取り付けられる上部固定盤４２（以下、第２プラテン４２ともいう。）と、第１プラテン４１を昇降移動させるための駆動機構４３とを有している。
【００２１】
第１プラテン４１は、その上面に下型２が取り付けられるものであり、下部固定盤４４に設けられた複数の支柱部４５により昇降移動可能に支持されている。本実施形態では、例えば平面視矩形状の下部固定盤４４の四隅に設けられた４本の支柱部（タイバーともいう。）４５により、第１プラテン４１が昇降移動可能に支持されている。
【００２２】
第２プラテン４２は、その下面に上型３が取り付けられるものであり、４本の支柱部４５の上端部において第１プラテン４１と対向するように固定されている。
【００２３】
駆動機構４３は、第１プラテン４１及び下部固定盤４４の間に設けられており、第１プラテン４１を昇降移動させることによって下型２及び上型３を型締めするとともに所定の型締め力（成形圧）を加えるものである。本実施形態の駆動機構４３は、サーボモータ等の回転を直線移動に変換するボールねじ機構４３１を用いて第１プラテン４１に伝達する直動方式のものであるが、サーボモータ等の動力源を例えばトグルリンクなどのリンク機構を用いて第１プラテン４１に伝達するリンク方式のものであっても良い。
【００２４】
そして、下型２と第１プラテン４１との間には、下型２を保持する下型保持部４６が設けられている。この下型保持部４６は、下型２を加熱するヒータプレート等を有している。
【００２５】
上型３と第２プラテン４２との間には、上型３を保持する上型保持部４７が設けられている。この上型保持部４７は、上型３を加熱するヒータプレート等を有している。
【００２６】
そして本実施形態では、上型３及び第２プラテン４２の間、及び、下型２及び第１プラテン４１の間に、複数の断熱部材１０が設けられている。
【００２７】
上型３及び第２プラテン４２の間の複数の断熱部材１０は、上型３及び第２プラテン４２の間に空間を形成するものである。また、下型２及び第１プラテン４１の間の複数の断熱部材１０は、下型２及び第１プラテン４１の間に空間を形成するものである。
【００２８】
そして、複数の断熱部材１０は、上型３側又は下型２側に設けられた第１分割要素５と、第２プラテン４２又は第１プラテン４１に設けられた第２分割要素６とに分割されている。
【００２９】
上型３及び第２プラテン４２の間の複数の第１、第２分割要素５、６は、駆動機構４３の型締め力を第２プラテン４２から上型３に伝達するものである。また、下型２及び第１プラテン４１の間の複数の第１、第２分割要素５、６は、駆動機構４３の型締め力を第１プラテン４１から下型２に伝達するものである。これら第１、第２分割要素５、６は、例えば円柱状をなす金属製のピラーである。
【００３０】
本実施形態では、各プラテン４１、４２と各成形型２、３との間に、４つの支柱部４５に対応して４つの第１、第２分割要素５、６が設けられている。具体的には、平面視において四角形の頂点に位置するように設けられている。
【００３１】
複数の第１分割要素５は、下型２側及び上型３側に設けられており、複数の第２分割要素６は、第１プラテン４１及び第２プラテン４２において第１分割要素５に対応して設けられている。そして、第２プラテン４２側では第１分割要素５の上端面と第２分割要素６の下端面とが互いに接触する接触面５ａ、６ａとなり、第１プラテン４１側では第１分割要素５の下端面と第２分割要素６の上端面とが互いに接触する接触面５ａ、６ａとなる。ここで、接触面６ａが凸曲面状の接触面となる。
【００３２】
ここで、複数の第１、第２分割要素５、６は、下型２又は上型３に対する第１プラテン４１又は第２プラテン４２の相対的な変形を許容しつつ、型締め力を第１プラテン４１又は第２プラテン４２から下型２又は上型３に伝達するように構成されている。
【００３３】
具体的には、図２に示すように、第２分割要素６の接触面６ａが、凸曲面状をなしている。本実施形態の接触面６ａは、下部に膨らんだ球面状をなすものであり、より詳細には、第２分割要素６の中心軸上に頂点を有する球面状をなしている。一方、第１分割要素５の接触面５ａは、平面状をなしている。これにより、下型２の変形量は、第１プラテン４１の変形量よりも小さくなり、上型３の変形量は、第２プラテン４２の変形量よりも小さくなる。これらの構成の効果が最も顕著となる場合には、凸曲面状の接触面６ａによって第１プラテン４１又は第２プラテン４２の変形量が下型２又は上型３に伝わらなくなり、第１プラテン４１の変形量に起因する下型２の変形量はゼロとなり、第２プラテン４２の変形量に起因する上型３の変形量はゼロとなる。
【００３４】
本実施形態では、上型３に設けられる複数の第１分割要素５が中間ブロック７Ａ（以下、固定側ブロック７Ａともいう。）に固定されている。この固定側ブロック７Ａは、上型３を保持する上型保持部４７に固定される。これにより、複数の第１分割要素５が上型３に設けられることになる。また、下型２に設けられる複数の第１分割要素５が中間ブロック７Ｂ（以下、可動側ブロック７Ｂともいう。）に固定されている。この可動側ブロック７Ｂは、下型２を保持する下型保持部４６に固定される。これにより、複数の第１分割要素５が下型２に設けられることになる。
本実施形態では、第１分割要素５及び第２分割要素６は、第２プラテン４２と、上型３、上型保持部４７及び固定側ブロック７Ａとの間に介在することになる。また、第１分割要素５及び第２分割要素６は、支柱部４５に対して摺動可能なように直接的又は取付部材を介して取り付けられた第１プラテン４１と、下型２、下型保持部４６及び可動側ブロック７Ｂとの間に介在することになる。
【００３５】
次に、第２プラテン４２及び固定側ブロック７Ａの周辺構造について、図３を参照して説明する。なお、図３においては、上型３及び上型保持部４７の図示は省略している。
【００３６】
本実施形態の樹脂成形装置１００は、第２プラテン４２に対して上型３を固定する固定部８を有している。この固定部８は、第２プラテン４２に対して上型３を弾性保持するものである。
【００３７】
固定部８は、図４に示すように、固定側ブロック７Ａに形成された貫通孔７ｈに挿入されて第２プラテン４２に締結されるボルト８１と、当該ボルト８１の頭部８１１と固定側ブロック７Ａとの間に介在する弾性体８２とを備えている。
【００３８】
固定側ブロック７Ａに形成された貫通孔７ｈは、ボルト８１の軸部８１２が挿し込まれる小径部７ｈ１と、ボルト８１の頭部８１１を収容する大径部７ｈ２とを有している。そして、貫通孔７ｈの内面と、ボルト８１の頭部８１１との間に、弾性体８２である例えばスプリングが設けられている。
【００３９】
このような構成により、弾性体８２及びボルト８１を貫通孔７ｈに挿し込み、ボルト８１を第２プラテン４２に締結することで、固定側ブロック７Ａの貫通孔７ｈの内面とボルト８１の頭部８１１との間で弾性体８２が挟まれて、第２プラテン４２に対して固定側ブロック７Ａを押し付けるように弾性力が働き、固定側ブロック７Ａ及び上型３が弾性保持されて固定される。この固定された状態で、固定側ブロック７Ａの第１分割要素５の接触面５ａと、第２プラテン４２の第２分割要素６の接触面６ａとが押圧して接触する。
【００４０】
また、第２プラテン４２に固定側ブロック７Ａを固定することで、第１分割要素５及び第２分割要素６により、第２プラテン４２及び固定側ブロック７Ａの間に空間が形成され、この空間が断熱層として機能する。これにより、上型を保持する上型保持部４７から第２プラテン４２に伝わる熱を低減して、外部への放熱を抑えている。
【００４１】
ここで、ボルト８１を締めすぎると、固定側ブロック７Ａは第２分割要素６から受ける力とボルト８１から受ける力とによって変形する可能性がある。固定側ブロック７Ａが変形してしまうと、上型保持部４７及び上型３も変形してしまう。
【００４２】
そこで、本実施形態の固定部８は、第２プラテン４２と固定側ブロック７Ａとの距離を規制する距離規制部８３をさらに備えている。この距離規制部８３は、ボルト８１とともに固定側ブロック７Ａの貫通孔７ｈに挿し込まれて、第２プラテン４２とボルト８１の頭部８１１とに接触して、第２プラテン４２と固定側ブロック７Ａとの距離を規制する。具体的に距離規制部８３は、ボルト８１の軸部８１２が挿し込まれる円筒状をなすものであり、軸方向一端面が第２プラテン４２の下面に接触し、軸方向他端面がボルト８１の頭部８１１に接触する。
【００４３】
この距離規制部８３により、第２プラテン４２とボルト８１の頭部８１１との距離が決まり、ボルト８１の頭部８１１と固定側ブロック７Ａとの間に設けられた弾性体８２の変形量が決まる。その結果、弾性体８２から固定側ブロック７Ａに加わる弾性力が一定となる。すなわち、距離規制部８３により第２プラテン４２と固定側ブロック７Ａとの距離が規制されて、弾性体８２の変形量が決まって固定側ブロック７Ａに加わる弾性力が一定となる。
【００４４】
また、第２プラテン４２に対して固定側ブロック７Ａを浮かした状態で保持していることから、第２プラテン４２に対して固定側ブロック７Ａ及びこれに固定された上型３の位置がずれる恐れがある。
【００４５】
そこで本実施形態では、図３に示すように、第２プラテン４２に対して上型３を位置決めするための位置決め部９Ａが設けられている。具体的に位置決め部９Ａは、図５に示すように、第２プラテン４２と固定側ブロック７Ａとに形成された位置決め孔９１、９２と、それら位置決め孔９１、９２に挿し込まれる位置決めピン９３とから構成される。本実施形態では、位置決め孔９１に位置決めピン９３が嵌合して固定されており、位置決め孔９２において位置決めピン９３がその軸方向に移動可能に挿し込まれる構成としてあるが、逆であっても良い。
【００４６】
ここで、第２プラテン４２に固定側ブロック７Ａが固定された状態において、位置決め部９Ａは、型締め時における上型３に対する第２プラテン４２の変形を吸収できるように構成されている。具体的には、位置決め孔９２の底面と位置決めピン９３の上端面との間に隙間が形成されており、位置決め孔９２に対して位置決めピン９３がスライド可能に構成されている。図５では、位置決めピン９３において、位置決め孔９１に嵌合する部分が大径部９３１とされており、位置決め孔９２に挿し込まれる部分が小径部９３２とされている。そして、大径部９３１と小径部９３２との間に形成される段部の上向き面と第２プラテン４２の下面との間にも隙間が形成されるように構成されている。なお、位置決め部９Ａは、位置決めピン９３が軸方向において等断面形状となるように構成しても良い。
【００４７】
次に、第１プラテン４１及び可動側ブロック７Ｂの周辺構造について、図６を参照して説明する。なお、図６においては、下型２及び下型保持部４６の図示は省略している。
【００４８】
図６に示すように、下型２が固定される可動側ブロック７Ｂは、第１プラテン４１に載置されている。具体的には、可動側ブロック７Ｂの第１分割要素５が、第１プラテン４１の第２分割要素６の上に載置される。
【００４９】
なお、可動側ブロック７Ｂを第１プラテン４１に載置するだけでは、下型２及び上型３を型開きする際に、下型２が上型３にくっついて、可動側ブロック７Ｂが第１プラテン４１から離れてしまう恐れがある。このため、上述した固定部８と同様の構成により、第１プラテン４１に対して下型２を固定するようにしても良い。
【００５０】
また、図６に示すように、第１プラテン４１と可動側ブロック７Ｂとの間には位置決め部９Ｂが設けられている。具体的に位置決め部９Ｂは、第１プラテン４１と可動側ブロック７Ｂとに形成された位置決め孔９４、９５と、それら位置決め孔９４、９５に挿し込まれる位置決めピン９６とから構成される。位置決め孔９５の底面と位置決めピン９６の上端面との間に隙間が形成されており、位置決め孔９５に対して位置決めピン９６がスライド可能に構成されている。本実施形態では、位置決め孔９４に位置決めピン９６が嵌合して固定されており、位置決め孔９５において位置決めピン９６がその軸方向に移動可能に挿し込まれる構成としてあるが、逆であっても良い。位置決めピン９６は、軸方向において等断面形状をなす形状としてあるが、軸方向の上方と下方とで径が異なる形状としても良い。
【００５１】
＜本実施形態の効果＞
本実施形態の樹脂成形装置１００によれば、複数の断熱部材１０により成形型２、３及びプラテン４１、４２の間に空間が形成されることになる。この空間が断熱層として機能することで、成形型２、３からプラテン４１、４２に伝わる熱を低減して、外部への放熱を抑えることができる。特に本実施形態では、複数の断熱部材１０が成形型２、３に設けられた第１分割要素５とプラテン４１、４２に設けられた第２分割要素６に分割されているので、プラテン４１、４２が変形した場合であっても、第１分割要素５及び第２分割要素６の間でプラテン４１、４２の変形が吸収されることになる。その結果、成形型２、３が取り付けられるプラテン４１、４２の変形等によって、断熱部材１０が変形したり破損したりすることを防ぐことができる。また、複数の断熱部材１０が分割されていることにより、プラテン４１、４２の成形型２、３に対する相対的な変形を可能として、成形型２、３の変形量をプラテン４１、４２の変形量よりも小さくすることができる。その結果、型締め時における成形型２、３の平坦度を維持することができる。ここで、各プラテン４１、４２は、凸曲面状の接触面６ａを起点として局所的（部分的）に傾くと表現することもできる。その他、第１分割要素５又は第２分割要素６の摩耗、破損等により部品交換が必要となった場合には、第１分割要素５及び第２分割要素６の少なくとも一方を交換すればよいので、メンテナンスを容易とすることができる。また、断熱効果により、従来の樹脂成形装置で用いられていたような高価な断熱板や、送風機といった強制冷却機構を不要にでき、周辺（外部）部材の耐熱性を上げる必要性を低減でき、成形型を加熱するヒータの熱効率を向上させることができる。
【００５２】
図７に型締め時の変形に関するシミュレーション結果を示している。このシミュレーションでは、上型３の下方から及び下型２の上方から型締め時と同等の力を与えた状態としている。
【００５３】
この結果から、型締め時において第２プラテン４２及び第１プラテン４１が湾曲変形しているのに対して、上型３の固定側ブロック７Ａ及び下型２の可動側ブロック７Ｂは変形しておらず、上型３及び下型２の平坦度及び平行度が維持されることが分かる。
【００５４】
これは、第１分割要素５と第２分割要素６との接触面５ａ、６ａにおいて、両者が相対的に回転することにより、第２プラテン４２及び第１プラテン４１の変形が上型３の固定側ブロック７Ａ及び下型２の可動側ブロック７Ｂに伝わらないことによる。また、第１分割要素５及び第２分割要素６を金属製で構成していることにより、それらの弾性変形も寄与していると考えられる。
【００５５】
また、固定部８により固定側ブロック７Ａ及び上型３を弾性保持しているので、第１分割要素５及び第２分割要素６の相対的な回転が容易となっている。
【００５６】
さらに、位置決め部９を複数の第１、第２分割要素５、６よりも内側の中央部に設けるとともに、位置決め部９の位置決め孔９１及び位置決めピン９３に隙間を設けているので、第２プラテン４２及び第１プラテン４１の変形を上型３の固定側ブロック７Ａ及び下型２の可動側ブロック７Ｂに伝えること無く、位置決めすることができる。
【００５７】
従来の樹脂成形装置では、成形対象物である基板が大型化すると、成形型の平坦度及び平行度を維持するためには、各プラテン等の構成部材の剛性を高めるなど、装置の大型化及び重量化を伴っていたが、本実施形態では、そのような必要がなくなるので、装置の小型化及び軽量化を図ることができる。
【００５８】
＜その他の変形実施形態＞
なお、本発明は前記実施形態に限られるものではない。
【００５９】
例えば、前記実施形態では、第２分割要素６の接触面６ａが凸曲面状をなし、第１分割要素５の接触面５ａが平面状であったが、第２分割要素６の接触面６ａを平面状とし、第１分割要素５の接触面５ａを凸曲面状としても良い。
【００６０】
また、図８に示すように、第２分割要素６の接触面６ａを凸曲面状とし、第１分割要素５の接触面５ａを凹曲面状としても良い。この場合、凹曲面状の接触面５ａの曲率は、凸曲面状の接触面６ａの曲率よりも小さくする。つまり、凹曲面状の接触面５ａの凹部内に凸曲面状の接触面６ａの一部が収容されるようにする。
【００６１】
さらに、接触面に関して言うと、第１、第２分割要素５、６の接触面５ａ、６ａをそれぞれ凸曲面状としても良い。
【００６２】
凸曲面状としては、球面状に限られず、楕円球面状であってもよいし、一方向に延びる凸条であっても良い。その他、凸曲面状としては、第１分割要素５及び第２分割要素６の相対的な回転を可能にするものであればよく、例えば自由曲線であっても良い。
【００６３】
また、図９に示すように、第１分割要素５の接触面５ａ及び第２分割要素６の接触面６ａが、平面状をなすものであっても良い。ここで、接触面５ａ、６ａは、水平面であってもいし、傾斜面であっても良い。
【００６４】
ここで、型締め時において第２プラテン４２は中央部が高くなるように変形し、第１プラテン４１は中央部が低くなるように変形することから、各分割要素５、６の接触面５ａ、６ａの傾斜態様を以下にすることが考えられる。つまり、図１０に示すように、上型３に設けられる第１分割要素５の接触面５ａは、内側が高く外側が低くなる傾斜面とし、第２プラテン４２に設けられる第１分割要素５の接触面５ａは、内側が低く外側が高くなる傾斜面とする。また、下型２に設けられる第１分割要素５の接触面５ａは、内側が高く外側が低くなる傾斜面とし、第１プラテン４１に設けられる第２分割要素６の接触面６ａは、内側が低く外側が高くなる傾斜面とする。
このように第１分割要素の接触面５ａ及び第２分割要素６の接触面６ａを構成することにより、各プラテン４１、４２の変形に合わせて、第１分割要素５及び第２分割要素６が互いにスライドしやすくすることができる。
【００６５】
その上、第１分割要素５の接触面５ａ又は第２分割要素６の接触面６ａの少なくとも一方には、窒素（Ｎ）及び４Ａ族元素を含有する酸化イットリウム膜（Ｙ２Ｏ３）を形成しても良い。ここで、４Ａ族元素としては、チタン（Ｔｉ）、ジルコニウム（Ｚｒ）及びハフニウム（Ｈｆ）からなる群から選択された少なくとも１種のカチオンを用いることができる。この構成であれば、第１分割要素５と第２分割要素６とが互いにスライドしやすくなり、成形型２、３の平坦度を一層維持することができる。
【００６６】
前記実施形態では、複数の第１分割要素５が中間ブロック７Ａ、７Ｂに設けられた構成であったが、複数の第２分割要素６が中間ブロック７Ａ、７Ｂに設けられた構成であっても良いし、複数の第１、第２分割要素５、６を中間ブロック７Ａ、７Ｂに設けること無く、成形型２、３又は成形型保持部４６、４７、或いはプラテン４１、４２に設ける構成としても良い。
【００６７】
前記実施形態では、成形型２、３及びプラテン４１、４２の間における４箇所に断熱部材１０を設けた構成であったが、２箇所以上に断熱部材１０を設けた構成であっても良い。
【００６８】
さらに、前記実施形態では、４本の支柱部４５により第１プラテン４１が昇降移動可能に支持された構成であったが、２つの支柱部４５により第１プラテン４１が昇降移動可能に支持された構成としても良い。２つの支柱部４５は、例えば矩形状の下部固定盤４４の対向する側辺に設けられた板状をなすものである。この場合、断熱部材１０は、２つの支柱部４５の対向方向に沿って２箇所に設けることが考えられる。
【００６９】
前記実施形態では、第２プラテン４２と上型３との間、及び、第１プラテン４１と下型２との間のそれぞれに断熱部材１０を分割した構成であったが、第２プラテン４２と上型３との間、又は、第１プラテン４１と下型２との間の一方の断熱部材１０を分割する構成としても良い。
【００７０】
また、第２プラテン４２と上型３との間に設ける複数の断熱部材１０と、第１プラテン４１と下型２との間に設ける複数の断熱部材１０との配置数、配置態様、又は、断熱部材１０の構成を互いに異ならせても良い。
【００７１】
第２プラテン４２と上型３との間、又は、第１プラテン４１と下型２との間に設ける複数の断熱部材１０は、位置に応じて、その形状を変更しても良い。
【００７２】
前記実施形態の固定部８の他に、図１１に示す固定部１１を用いても良い。この固定部１１は、固定側ブロック７Ａに形成された貫通孔７ｈに挿入されて第２プラテン４２に締結されるボルト１１１と、第２プラテン４２と固定側ブロック７Ａとの距離を規制する距離規制部１１２とを備えている。この距離規制部１１２は、ボルト１１１とともに固定側ブロック７Ａの貫通孔７ｈに挿し込まれて、第２プラテン４２とボルト１１１の頭部１１１ａとに接触して、第２プラテン４２と固定側ブロック７Ａとの距離を規制する。具体的に距離規制部１１２は、ボルト８１の軸部１１１ｂが挿し込まれる円筒状をなすものであり、軸方向一端面が第２プラテン４２の下面に接触し、軸方向他端面がボルト１１１の頭部１１１ａに接触する。なお、この固定部１１は、第１プラテン４１に対して可動側ブロック７Ｂを固定する構成に用いても良い。
【００７３】
また、前記実施形態では、下型２が取り付けられる第１プラテン４１を可動盤として可動とする構成であったが、上型３が取り付けられる第２プラテン４２を可動盤として可動とする構成であっても良い。第２プラテン４２を可動盤とする場合には、第１プラテン４１を固定盤としても良い。
【００７４】
その他、本発明は前記実施形態に限られず、その趣旨を逸脱しない範囲で種々の変形が可能であるのは言うまでもない。
【符号の説明】
【００７５】
１００・・・樹脂成形装置
２・・・下型（成形型）
３・・・上型（成形型）
４１・・・第１プラテン
４２・・・第２プラテン
５・・・第１分割要素
５ａ・・・第１分割要素の接触面
６・・・第２分割要素
６ａ・・・第２分割要素の接触面
７Ａ・・・固定側ブロック（中間ブロック）
７Ｂ・・・可動側ブロック（中間ブロック）
８・・・固定部
９Ａ、９Ｂ・・・位置決め部
【図１】
2020116917.tif 000003
【図２】
2020116917.tif 000004
【図３】
2020116917.tif 000005
【図４】
2020116917.tif 000006
【図５】
2020116917.tif 000007
【図６】
2020116917.tif 000008
【図７】
2020116917.tif 000009
【図８】
2020116917.tif 000010
【図９】
2020116917.tif 000011
【図１０】
2020116917.tif 000012
【図１１】
2020116917.tif 000013
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
上型及び下型を有する成形型と、
前記成形型が取り付けられるプラテンと、
前記成形型及び前記プラテンの間に設けられ、前記成形型及び前記プラテンの間に空間を形成することにより断熱に用いられる部材であって、前記プラテンからの型締め力を前記成形型に伝達する複数の断熱用部材と、
前記プラテンに対して前記成形型を固定する固定部とを備え、
前記複数の断熱用部材は、前記成形型に設けられた第１分割要素と前記プラテンに設けられた第２分割要素に分割されており、
前記成形型と前記プラテンとの間には、前記成形型を保持するとともに、前記成形型を加熱するヒータを有する成形型保持部が設けられており、
複数の前記第１分割要素は、前記成形型を保持する前記成形型保持部に設けられている、樹脂成形装置。
【請求項２】
前記プラテンとして、前記下型が取り付けられる第１プラテンと、上型が取り付けられる第２プラテンとを有し、
前記複数の断熱用部材は、前記上型と前記第２プラテンとの間、及び、前記下型と前記第１プラテンとの間にそれぞれ設けられている、請求項１記載の樹脂成形装置。
【請求項３】
前記成形型と前記プラテンとの間に設けられ、前記複数の第１分割要素又は前記複数の第２分割要素が設けられた中間ブロックを備えている、請求項１又は２記載の樹脂成形装置。
【請求項４】
前記固定部は、前記プラテンに対して前記成形型を弾性保持する、請求項１乃至３の何れか一項に記載の樹脂成形装置。
【請求項５】
前記複数の断熱用部材よりも内側に設けられ、前記プラテンと前記成形型とを位置決めする位置決め部を備えている、請求項１乃至４の何れか一項に記載の樹脂成形装置。
【請求項６】
上型及び下型を有する成形型と、
前記成形型が取り付けられるプラテンと、
前記成形型及び前記プラテンの間に設けられ、前記成形型及び前記プラテンの間に空間を形成することにより断熱に用いられる部材であって、前記プラテンからの型締め力を前記成形型に伝達する複数の断熱用部材と、
前記複数の断熱用部材よりも外側に設けられ、前記プラテンに対して前記成形型を弾性保持することにより固定する固定部と、
前記複数の断熱用部材よりも内側に設けられ、前記プラテンと前記成形型とを位置決めする位置決め部とを備え、
前記複数の断熱用部材は、前記成形型に設けられた第１分割要素と前記プラテンに設けられた第２分割要素に分割されている、樹脂成形装置。
【請求項７】
請求項１乃至６の何れか一項に記載の樹脂成形装置を用いた樹脂成形品の製造方法。
【手続補正２】
【補正対象書類名】明細書
【補正対象項目名】０００５
【補正方法】変更
【補正の内容】
【０００５】
そこで本発明は、成形型が取り付けられるプラテンの変形等によって、断熱に用いられる断熱用部材（以下、断熱部材ともいう。）が変形したり破損したりすることをその主たる課題とするものである。